(57)【要約】【課題】ＦＢＳを備えた複合機においてユーザに対してＦＢＳからの原稿の取り忘れ注意をより強く促すことのできる原稿読取記録装置を提供する。【解決手段】ＦＢＳに原稿をセットし、コピーを開始すると、原稿の読み取りが完了したか判定し（ＳＴ１）、完了するとＦＢＳに原稿が無いか判定し（ＳＴ２）、有るときはブザーにより原稿の取り忘れ旨の報知音を発する（ＳＴ３）。次いで、プリントが完了したか判定し（ＳＴ４）、完了するとＦＢＳに原稿が無いか判定し（ＳＴ５）、無いときはブザーにより通常の報知音を発し（ＳＴ６）、まだ残っているときはブザーにより原稿取り忘れの旨の報知音を発する（ＳＴ７）。ＳＴ３，ＳＴ６，ＳＴ７で発する報知音は、それぞれ互いに容易に区別できる音である。【選択図】　　　図２
2004112429.tif 000002
【特許請求の範囲】
【請求項１】
原稿を読み取るフラットベッドスキャナ（ＦＢＳ）と、このＦＢＳで読み取られた画像をプリントする印字手段とを備え、印字手段でプリント中に次のコピー予約のための原稿読み取りを行える原稿読取記録装置において、
前記ＦＢＳによる原稿読み取り終了時、又は終了してからしばらく後にＦＢＳに原稿が残っているときは、ＦＢＳの原稿を取り除く旨の報知音を発する第１の報知手段と、印字手段によるプリント完了時にＦＢＳにまだ原稿が残っているときは、ＦＢＳの原稿を取り除く旨の報知音を発する第２の報知手段とを備えることを特徴とする原稿読取記録装置。
【請求項２】
前記第２の報知手段は、プリント完了時の通常の報知を兼ねるもので、印字手段によるプリント完了時にＦＢＳにまだ原稿が残っているときは、通常の報知音とは異なる報知音を発することを特徴とする請求項１記載の原稿読取記録装置。
【請求項３】
原稿を読み取るフラットベッドスキャナ（ＦＢＳ）と、このＦＢＳで読み取られた画像データを送信する送信手段とを備え、送信手段で送信中に次の送信予約のための原稿読み取りを行える原稿読取記録装置において、
前記ＦＢＳによる原稿読み取り終了時、又は終了してからしばらく後にＦＢＳに原稿が残っているときは、ＦＢＳの原稿を取り除く旨の報知音を発する第１の報知手段と、送信手段による送信完了時にＦＢＳにまだ原稿が残っているときは、ＦＢＳの原稿を取り除く旨の報知音を発する第２の報知手段とを備えることを特徴とする原稿読取記録装置。
【請求項４】
前記第２の報知手段は、送信完了時の通常の報知を兼ねるもので、送信手段による送信完了時にＦＢＳにまだ原稿が残っているときは、通常の報知音とは異なる報知音を発することを特徴とする請求項３記載の原稿読取記録装置。
【発明の詳細な説明】
【０００１】
【発明の属する技術分野】
この発明は、ファクシミリ装置やコピー装置等に使用される原稿読取記録装置に関し、詳細にはＦＢＳからの原稿の取り忘れを防止するようにした原稿読取記録装置に関する。
【０００２】
【従来の技術】
従来、コピー装置、ファクシミリ装置等の原稿読取記録装置において、原稿を装置から取り忘れることがしばしばあるため、取り忘れを防止する手段が各種提案されている。
【０００３】
すなわち、原稿の送信が終了し、原稿が排出されると、原稿検出センサが原稿を検知して原稿の回収メッセージを音声合成により報知するとともに、回線を切断した後に、原稿の有無を検出し、原稿が回収されていなければ、再び、原稿の回収メッセージを音声合成により報知することで、利用者の原稿の持ち帰り忘れを防止するようにしたファクシミリ装置がある（例えば、特許文献１参照）。
【０００４】
また、読取処理動作が終了した時から所定時間、圧板が開放されていなければ、任意の時間が経過するまでは消極的警告（発光、弱い発光、小さなビーム音等）を行い、任意の時間経過後に圧板が開放されていなければ、消極的警告から積極的警告（発光量の漸増、点滅発光、大きなビーム音等）に切り替えて警告することで、原稿台の原稿の置き忘れを防止するようにした原稿画像読取装置がある（例えば、特許文献２参照）。
【０００５】
【特許文献１】
実開平５−９０６６号公報
【０００６】
【特許文献２】
特開平８−２３４３３１号公報
【０００７】
【発明が解決しようとする課題】
上記ファクシミリ装置では、送信終了後又は回線切断後に回収メッセージを報知しているが、この回収メッセージの報知はファクシミリ通信における送信に係るものである。また、上記原稿画像読取装置では、読取処理動作終了から所定時間は消極的警告を行い、消極的警告でも原稿の置き忘れがあるときは積極的警告に切り替えているが、消極的警告と積極的警告は読取に係るものである。
【０００８】
ところで、例えばフラットベッドスキャナ（ＦＢＳ）を備え、コピープリント中に次のコピー予約のための読み取りを行える複合機では、現状では例えばコピープリント完了時、若しくは完了してからしばらく後に警告を行っているだけであり、ＦＢＳからの原稿の取り忘れ防止策としては弱い。
【０００９】
この発明は、そのような実状に着目してなされたものであって、ＦＢＳを備えた複合機においてユーザに対してＦＢＳからの原稿の取り忘れ注意をより強く促すことのできる原稿読取記録装置を提供することを目的としている。
【００１０】
【課題を解決するための手段】
前記目的を達成するために、この発明の請求項１記載の原稿読取記録装置は、原稿を読み取るフラットベッドスキャナ（ＦＢＳ）と、このＦＢＳで読み取られた画像をプリントする印字手段とを備え、印字手段でプリント中に次のコピー予約のための原稿読み取りを行えるものにおいて、前記ＦＢＳによる原稿読み取り終了時、又は終了してからしばらく後にＦＢＳに原稿が残っているときは、ＦＢＳの原稿を取り除く旨の報知音を発する第１の報知手段と、印字手段によるプリント完了時にＦＢＳにまだ原稿が残っているときは、ＦＢＳの原稿を取り除く旨の報知音を発する第２の報知手段とを備えることを特徴とする。
【００１１】
この原稿読取記録装置では、原稿読み取り終了時又は終了してからしばらく後とプリント完了時とに、報知音により原稿の取り忘れに対する注意を促すので、プリント中に次のコピー予約のための原稿読み取りが行える複合機でのＦＢＳからの原稿の取り忘れ注意をより強く促すことができる。
【００１２】
この原稿読取記録装置において、第２の報知手段は、プリント完了時の通常の報知を兼ねるもので、印字手段によるプリント完了時にＦＢＳにまだ原稿が残っているときは、通常の報知音とは異なる報知音を発することとすれば、プリント完了時に通常の報知音が鳴れば、ユーザはＦＢＳに原稿が残っていないことを知ることができ、通常の報知音とは異なる報知音であれば、通常のプリント完了とは違うことを認識し、例えば装置に設けられた表示部の表示を見るようになり、原稿の取り忘れに対して注意を喚起できる。
【００１３】
一方、請求項３記載の原稿読取記録装置は、原稿を読み取るフラットベッドスキャナ（ＦＢＳ）と、このＦＢＳで読み取られた画像データを送信する送信手段とを備え、送信手段で送信中に次の送信予約のための原稿読み取りを行えるものにおいて、前記ＦＢＳによる原稿読み取り終了時、又は終了してからしばらく後にＦＢＳに原稿が残っているときは、ＦＢＳの原稿を取り除く旨の報知音を発する第１の報知手段と、送信手段による送信完了時にＦＢＳにまだ原稿が残っているときは、ＦＢＳの原稿を取り除く旨の報知音を発する第２の報知手段とを備えることを特徴とする。
【００１４】
この原稿読取記録装置でも、原稿読み取り終了時又は終了してからしばらく後と送信（ＦＡＸやメール）完了時とに、報知音により原稿の取り忘れに対する注意を促すので、送信中に次の送信予約のための原稿読み取りが行える複合機でのＦＢＳからの原稿の取り忘れ注意をより強く促すことができる。
【００１５】
この原稿読取記録装置においても、第２の報知手段は、送信完了時の通常の報知を兼ねるもので、送信手段による送信完了時にＦＢＳにまだ原稿が残っているときは、通常の報知音とは異なる報知音を発することとすれば、送信完了時に通常の報知音が鳴れば、ユーザはＦＢＳに原稿が残っていないことを知ることができ、通常の報知音とは異なる報知音であれば、通常の送信完了とは違うことを認識し、例えば装置に設けられた表示部の表示を見るようになり、原稿の取り忘れに対して注意を喚起できる。
【００１６】
なお、本発明において、通常の報知音と異なる報知音とは、音色、音程、強弱、連続音・断続音、断続音の周期等、プリント完了時又は送信完了時にＦＢＳに原稿が残っているのか否かを容易に区別できるのであれば特定されない。また、以下の実施形態にも示すように、例えば１個のブザーが第１及び第２の報知手段を兼ねる場合は、原稿読み取り終了時又は終了してからしばらく後にＦＢＳに原稿が残っているときに鳴らす音、プリント完了時又は送信完了時にＦＢＳに原稿が無いときに鳴らす音、原稿がまだ残っているときに鳴らす音を、それぞれ容易に区別できるように異なる音とする。これにより、ユーザは音を聞いただけで、原稿がどのような状態にあるのかを簡単に認識できる。
【００１７】
【発明の実施の形態】
以下、実施の形態により、この発明を更に詳細に説明する。
【００１８】
その実施形態に係る原稿読取記録装置の上部のフラットベッドスキャナ（ＦＢＳ）の外観斜視図を図１に示す。この原稿読取記録装置１は、コピー装置とファクシミリ装置を兼用する複合機である。ＦＢＳ２は、前側を開閉可能に後側でヒンジ連結されたプラテンカバー３と、原稿を載せる透明なプラテンガラス４と、手前側に設けられた操作部５及び表示部６とを有する。
【００１９】
このＦＢＳ２では、プラテンカバー３とプラテンガラス４の保持面（平面）との間の角度が所定角以下になったことを検出する角度センサとして馬蹄形光センサ（図示せず）が設けられている。この実施形態では、プラテンカバー３側に金属製アマーチュア（フィン）７が取付けられており、プラテンカバー３を閉じると、フィン７がＦＢＳ２の本体側に入り込み、所定量入り込んだときに光センサの光路を遮ることにより、光センサがプラテンカバー３の閉を検出する。換言すると、プラテンカバー３を所定角以上まで開けると、光センサがプラテンカバー３の開を検出する。ここでは、原稿の読取終了以後にプラテンカバー３を所定角以上まで開けると、ＦＢＳ２から原稿が取り去られたものと見なされる。
【００２０】
このＦＢＳ２では、プラテンカバー３を開き、プラテンガラス４上に原稿を載せ、プラテンカバー３を閉じ、操作部５のスタートキーを押すと、プラテンガラス４の裏面からラインスキャナ（図示せず）が移動し、原稿全面の画像が読み取られる。
【００２１】
この原稿読取記録装置１の構成を図２にブロック図で示す。この原稿読取記録装置１は、ＮＣＵ１１と、ＭＯＤＥＭ１２と、ＲＯＭ１３と、ＲＡＭ１４と、画像メモリ１５と、ＭＰＵ１６と、表示部１７と、操作部１８と、画像読取部１９と、ＣＯＤＥＣ２０と、印字手段としてのプリンタ２１と、バス２２と、第１及び第２の報知手段としてのブザー２３とを備えている。
【００２２】
ＮＣＵ１１は、電話回線２４との接続を制御するとともに、相手先の電話番号（対応したダイヤル信号）の送出機能、及び着信を検出するための機能を備えている。また、ＮＣＵ１１は、ダイヤルトーン、ＣＮＧ（コーリングトーン）信号等を電話回線２４より受信する。ＭＯＤＥＭ１２は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。ここでは、ＮＣＵ１１とＭＯＤＥＭ１２で送信手段が構成される。
【００２３】
ＲＯＭ１３は、装置全体を制御するためのプログラムを記憶する。ＲＡＭ１４は、ファクシミリ装置に関する各種情報を一時的に記憶する。画像メモリ１５は、受信画像データや画像読取部１９で読み取られた画像データを一時的に記憶する。ＭＰＵ１６は、ＲＯＭ１３に記憶されたプログラムに従い、装置を構成する各部を制御する。
【００２４】
表示部１７は、装置の動作状態等の各種情報、転送時間帯表示等の表示を行う。操作部１８は、テンキー、ワンタッチキー、スタートキー、その他のキーで構成される。画像読取部１９は、上記ＦＢＳ２を備え、原稿上の画像データを読み取って、白黒２値のイメージデータを出力する。ＣＯＤＥＣ２０は、送信すべき画像データを符号化し、また受信した画像データを復号する。プリンタ２１は、電子写真式のプリンタよりなり、受信画像データやコピー動作において、画像読取部１９で読み取られた原稿の画像データを記録紙上に記録する。
【００２５】
この原稿読取記録装置１は、ＦＢＳ２による原稿読み取り終了時、又は終了してからしばらく後にＦＢＳ２に原稿が残っているときは、ＦＢＳ２の原稿を取り除くべき旨の報知音を発する第１の報知手段と、印字手段によるプリント完了時にＦＢＳ２にまだ原稿が残っているときは、ＦＢＳ２の原稿を取り除くべき旨の報知音を発する第２の報知手段とを備えることを特徴とする。また、ＦＢＳ２により読み取った原稿データをＦＡＸやメールで送信する場合も、ＦＢＳ２による原稿読み取り終了時、又は終了してからしばらく後にＦＢＳ２に原稿が残っているときは、第１の報知手段によりＦＢＳ２の原稿を取り除くべき旨の報知音を発し、送信手段による送信完了時にＦＢＳ２にまだ原稿が残っているときは、第２の報知手段によりＦＢＳ２の原稿を取り除くべき旨の報知音を発する。
【００２６】
この実施形態では、上記ブザー２３が第１及び第２の報知手段を兼ねている。この場合、ブザー２３は、原稿読み取り終了時又は終了してからしばらく後にＦＢＳ２に原稿が残っているときに鳴らす音と、プリント完了時又は送信完了時にＦＢＳ２に原稿が残っていない通常のときに鳴らす音と、ＦＢＳ２にまだ原稿が残っているときに鳴らす音とは、容易に区別がつくように異なる。
【００２７】
次に、この原稿読取記録装置１のコピー動作について図３のフロー図を参照して説明する。但し、ここでは、読み取り終了時とプリント完了時に原稿の有無をチェックする場合である。また、前記したように、プラテンカバー３の開閉により原稿の有無を判定するようになっており、読み取り終了後にプラテンカバー３が所定角以上に開かれたときに、原稿を取り除いたことにしている。
【００２８】
ユーザがプラテンカバー３を開け、ＦＢＳ２に原稿をセットし、プラテンカバー３を閉じ、操作部５のスタートキーを押すと、コピーが開始する。そこで、まずステップＳＴ１において、ＦＢＳ２の原稿の読み取りが完了したか判定し、原稿の読み取りが完了するまで待機する。原稿の読み取りが完了すると、ステップＳＴ２において、ＦＢＳ２に原稿が無いかどうか判定し、無い場合、すなわちユーザが少なくともプラテンカバー３を所定角以上まで開けた場合（勿論、原稿を取り除いた場合も含む）、当該処理を終了する。
【００２９】
ＦＢＳ２に原稿が有る場合は、ステップＳＴ３において、原稿取り忘れの旨の警告を表示部６に表示するとともに、ブザー２３により原稿取り忘れの旨の報知音を発する。これにより、ユーザにＦＢＳ２の原稿を取り除いて下さいという注意を促す。その後、ステップＳＴ４において、プリントが完了したか判定し、プリントが完了するまで待機する。
【００３０】
プリントが完了すると、ステップＳＴ５において、再びＦＢＳ２に原稿が無いかどうか判定する。ＦＢＳ２に原稿が無いときは、ステップＳＴ６において、ブザー２３により通常の報知音を発し、当該処理を終了する。これにより、ユーザには通常どおりプリントが完了したことを知らせる。
【００３１】
これに対して、ステップＳＴ５において、ＦＢＳ２に原稿がまだ残っているときは、ステップＳＴ７において、ブザー２３により通常の報知音とは異なる報知音を発し、当該処理を終了する。これにより、ユーザにＦＢＳ２にまだ原稿が残っているので取り忘れないようにして下さいという注意を促す。
【００３２】
この２度の取り忘れ報知音により、ユーザの原稿の取り忘れをかなりの確度で防ぐことができる。また、読み取り終了時とプリント完了時とにそれぞれ報知音を発することで、読み取りとプリントが同期していない装置においても、適切に注意を促すことができる。
【００３３】
なお、図２のフロー図は、読み取り終了時とプリント完了時に原稿取り忘れ注意を促す報知音を発する場合であるが、読み取り終了時と送信完了時に原稿取り忘れ注意を促す報知音を発する場合も図２のフロー図に準じて同様に行うことができる。すなわち、図２のフロー図のステップＳＴ４において、プリント完了かの判定を送信完了かの判定に代えればよい。
【００３４】
【発明の効果】
以上説明したように、請求項１，３記載の原稿読取記録装置によれば、原稿読み取り終了時又は終了してからしばらく後とプリント完了時又は送信完了時とにＦＢＳに原稿が残っていれば、ユーザに対して各々の時点で報知音により原稿の取り忘れ注意を促すので、プリント中又は送信中に次のコピー予約又は送信予約のための原稿読み取りが行える複合機でのＦＢＳからの原稿の取り忘れ注意をより強く促すことができる。
【００３５】
また、請求項２，４記載の構成にすれば、プリント完了時又は送信完了時に通常の報知音が鳴れば、ユーザはＦＢＳに原稿が残っていないことを知ることができ、通常の報知音とは異なる報知音であれば、通常のプリント完了又は送信完了とは違うことを認識し、例えば装置に設けられた表示部の表示を見るようになり、原稿の取り忘れに対して注意を喚起できる。
【図面の簡単な説明】
【図１】実施形態に係る原稿読取記録装置（コピー装置とファクシミリ装置を兼用する複合機）の上部のＦＢＳの外観斜視図である。
【図２】同原稿読取記録装置の構成の一例を示すブロック図である。
【図３】同原稿読取記録装置のコピー動作を説明するためのフロー図である。
【符号の説明】
１　　　原稿読取記録装置
２　　　フラットベッドスキャナ（ＦＢＳ）
３　　　プラテンカバー
４　　　プラテンガラス
５　　　操作部
６　　　表示部
１９　　画像読取部
２１　　プリンタ（印字手段）
２３　　ブザー（第１及び第２の報知手段）
【図１】
2004112429.tif 000003
【図２】
2004112429.tif 000004
【図３】
2004112429.tif 000005